(57)【特許請求の範囲】
【請求項１】
被検眼の角膜に空気を噴射し、被検眼角膜の変形を光学的に検出し、被検眼角膜の圧平を検出した際の空気圧に基づき被検眼の眼圧測定を行なう眼圧測定装置において、
被検眼角膜の圧平を検出する受光系の受光素子から得られる検出信号のゲインと被検眼角膜の圧平を検出するために前記検出信号と比較されるしきい値の相対関係により定まる測定ゲインを用いて前記眼圧測定を行なう眼圧測定手段と、
ある測定ゲインを用いて前記眼圧測定手段に眼圧測定を試行させ、該試行が測定エラーにより複数回失敗した時、測定ゲインを所定の差分だけ増加させて前記眼圧測定手段に眼圧測定を試行させる制御手段を有することを特徴とする眼圧測定装置。
【発明の詳細な説明】
【技術分野】
【０００１】
本発明は、被検眼の角膜に空気を噴射し、被検眼角膜の変形を光学的に検出し、被検眼角膜の圧平を検出した際の空気圧に基づき被検眼の眼圧測定を行なう眼圧測定装置に関するものである。
【背景技術】
【０００２】
非接触式の眼圧計では、空気噴射ノズルから被検眼角膜に対して空気流を放出させて被検眼角膜に変形を与え、被検眼角膜が所定形状に変形したとき、すなわち被検眼角膜が圧平したタイミングを光学的に検出し、そのときの空気流の圧力に基づいて眼圧を測定する。このような基本構成は、たとえば下記の特許文献１に示されている。
【０００３】
この種の装置では、通常の被検眼の測定時には、受光素子で単一ピークの山形の検出波形（たとえば特許文献１の第２ｂ図）が得られ、このような検出波形から検出したピークタイミングに基づき眼圧を算出することが可能である。しかしながら、実際の測定では眼球運動、アライメントの不安定、涙液、瞬きなどの様々な要因のために、往々にして波形に乱れが起きる（たとえば特許文献１の第２ｃ図）。この乱れを含んだ検出波形は多くの場合複数のピークを有している。
【０００４】
通常、この種の装置は、受光素子から得られる検出波形の一定強度以上の波形ピークを検出することにより、異常測定（瞬きや眼球移動など）を除外して測定全体の精度を保証するよう構成されているが、光学検出波形のピークが一定強度を超えない場合は、測定エラーとなり再測定が必要となる。
【特許文献１】特開平１−１５３１３７号公報
【特許文献２】特開平２−２８３３４９号公報
【発明の開示】
【発明が解決しようとする課題】
【０００５】
上記のような測定エラーを考慮し、測定エラーが発生した場合には被検眼に噴射するエアの空気圧レンジを変更して測定を行なうような構成も提案されている（上記特許文献２）。しかしながら、このように噴射空気圧を変更する構成では、たとえばより強い空気圧がかかるように制御が変更されていく場合、被検者の負担が大きく、また不安感や恐怖を与えるおそれがあり、可能であればあらかじめ定めた最低限の噴射空気圧で測定が行なえるのが好ましい。
【０００６】
そこで、噴射空気圧を変更しないものとすると、被検眼角膜の圧平を検出する受光／測定系の測定ゲイン設定を考慮する、すなわち、受光素子から得られる検出信号のゲインと、その波形ピークを検出するためのしきい値の相対関係をしかるべく設定することが考えられる。しかしながら、単一の測定ゲイン設定では、全ての測定状況に対応するのは非常に難しい。
【０００７】
測定ゲイン、すなわち、受光素子から得られる検出信号のゲインとしきい値の相対関係は、検出信号のゲインの方を変更しても、また、しきい値の方を変更してもほぼ同様の効果が得られると考えられるが、たとえば、しきい値を下げると条件が悪い、たとえば角膜や涙液層の異常や瞬きが多い、目の動きが大きい、といった被検眼でも測定できるようになるが、異常測定時も検出が行われる可能性が高くなり、結果、測定の精度が悪くなり値がばらつくことになる。
【０００８】
また、しきい値を相対的に低下させたのと同等の効果を得るため受光素子の感度を上げる方法を採ると、外来ノイズなどの影響を受けやすくなる、あるいは高眼圧の測定時に正常に測定されているにも関わらず信号がオーバーフローしてしまい、正しい値が得られないという危険性もある。
【０００９】
一方、測定値が安定するようにしきい値の値を高くする、すなわち、圧平を検出する条件を厳しくすると、測定が成功すれば測定精度が保証されるが、被検眼によっては常に測定エラーとなり、全く測定できない状況が発生しやすくなる。
【００１０】
以上の考察から、測定ゲイン、すなわち、受光素子から得られる検出信号のゲインとしきい値の相対関係は、測定状況に応じて動的かつ自動的に制御できるようになっていることが好ましいと考えられる。
【００１１】
本発明の課題は、上記の問題を解決し、被検眼角膜の変形を検出する受光系の測定ゲインを測定状況に応じて動的かつ自動的に制御し、被検者に大きな負担を強いることなく、正確かつ確実に眼圧測定を行なえるようにすることにある。
【課題を解決するための手段】
【００１２】
本発明では、上記課題を解決するため、被検眼の角膜に空気を噴射し、被検眼角膜の変形を光学的に検出し、被検眼角膜の圧平を検出した際の空気圧に基づき被検眼の眼圧測定を行なう眼圧測定装置において、被検眼角膜の圧平を検出する受光系の受光素子から得られる検出信号のゲインと被検眼角膜の圧平を検出するために前記検出信号と比較されるしきい値の相対関係により定まる測定ゲインを用いて前記眼圧測定を行なう眼圧測定手段と、ある測定ゲインを用いて前記眼圧測定手段に眼圧測定を試行させ、該試行が測定エラーにより複数回失敗した時、測定ゲインを所定の差分だけ増加させて前記眼圧測定手段に眼圧測定を試行させる制御手段を有する構成を採用した。
【発明の効果】
【００１５】
上記構成によれば、眼圧測定手段による眼圧測定が測定エラーとなった場合、測定ゲインを変更して前記眼圧測定手段に眼圧測定を行なわせるようにしているので、被検眼角膜の変形を検出する受光系の測定ゲインを測定状況に応じて動的かつ自動的に制御し、被検者に大きな負担を強いることなく、正確かつ確実に眼圧測定を行なえる、という優れた効果がある。
【００１６】
また、眼圧測定手段に眼圧測定を試行させ、該試行が測定エラーにより複数回失敗した時、最初の測定ゲインよりも大きい第２の測定ゲインを用いる第２の測定モードに移行する、あるいは測定ゲインを所定の差分だけ増加させて前記眼圧測定手段に眼圧測定を試行させる構成により、被検眼の瞬目などの条件によって偶然ある眼圧測定の試行が失敗した場合でも、次の試行で噴射空気圧および測定ゲインを変更することなく眼圧測定を成功させることができる確率を向上することができる、という優れた効果がある。
【発明を実施するための最良の形態】
【００１７】
以下、本発明を実施するための最良の形態の一例として、非接触眼圧測定装置に関する実施例を示す。
【実施例１】
【００１８】
図１は本発明を採用した眼科装置の一実施形態として眼圧測定装置の構成を、図２は図１の装置の制御系の構成を示している。
【００１９】
図１において、前眼部を照明するための照明用光源１０、１１が設けられ、これらの光源により被検眼Ｅの角膜が照明される。また、眼圧測定装置に対する被検眼の位置（Ｘ、Ｙ方向）を検出するために、アライメント用光源１２が設けられ、この光源からの光束は、レンズ１３を介してハーフミラー１４に投射され、その後このハーフミラーで反射されて被検眼に投影される。
【００２０】
被検眼の角膜で反射される光源１２の光束は、ハーフミラー１４を通過してレンズ１５により中継され、ハーフミラー１６、１７を経てレンズ１８に入りフィルタ１９を通過してＣＣＤカメラ２０上に結像される。このフィルタ１９は、各光源１０、１１、１２からの波長を通過させ、他の波長をカットするためのものである。
【００２１】
ＣＣＤカメラ２０からの信号は、図２のＣＰＵ１３１に入力され、ＣＰＵ１３１が実行する公知のアライメント判定演算によりＸ、Ｙ方向のアライメントが判定される。アライメントが達成されているときには、ＣＰＵ１３１はモニタ１３４を介してアライメント表示を行なわせる。
【００２２】
また、アライメント用光源１２からの光束の反射光は、ハーフミラー１４、レンズ１５を通過してハーフミラー１６により反射され、レンズ２３を介して圧平光用センサ２４に導かれる。このアライメント用光源１２は、ＣＰＵ１３１により点灯状態を制御され、眼圧測定用の光源を兼ねている。
【００２３】
図１の眼圧測定装置には、被検眼角膜に空気流を吹き付ける空気加圧手段（不図示）が設けられており、この空気加圧手段は、被検眼Ｅに対して圧力が時間とともに変化する空気流をノズル２２から放出させるもので、被検眼Ｅの角膜はこの空気流を受けて変形し、圧平光用センサ２４に受光される光量が変化する。
【００２４】
ノズル２２から放出される空気圧は、図２の圧力センサ１３２により検出される。圧力センサ１３２の空気圧検出値はＣＰＵ１３１に不図示のＡ／Ｄ変換器などを介して入力される。
【００２５】
アライメント用光源１２並びに圧平光用センサ２４に至る光学系は、被検眼の角膜が空気流により圧平したときに圧平光用センサ２４が最大出力を発生するように配置されており、そのとき圧力センサ１３２から得られる空気圧検出値に基づきＣＰＵ１３１が眼圧値を算出し、モニタ１３４で表示（あるいはプリンタ１３５で印刷）する。
【００２６】
さらに、図１の光学系には、被検眼と装置の光軸方向に関するアライメントを行なうための光源３０が設けられ、この光源からの光束は、レンズ３１を介して被検眼に投光され、この光束の被検眼からの反射光はフィルタ３２、レンズ３３を介してセンサ３４ａと３４ｂからなる２分割センサ３４で受光される。フィルタ３２は、光源３０からの光束の波長を透過させ、他の光源の波長をカットするものである。また、２分割センサ３４の各センサ３４ａと３４ｂの出力を演算することにより三角測量の原理に基づいて、被検眼と装置の光軸方向のアライメント判定が行なわれる。
【００２７】
具体的には、被検眼の角膜と装置の光軸方向の距離が適切に調節された状態においてセンサ３４ａと３４ｂが同じ受光量となるように配置されており、各センサ３４ａと３４ｂの出力電圧Ｖａ、Ｖｂは、不図示のＡ／Ｄ変換器を介してデジタル信号に変換された後、ＣＰＵ１３１に入力され、ＣＰＵ１３１が各センサ３４ａと３４ｂの出力電圧Ｖａ、Ｖｂの均衡状態を調べることにより、被検眼と装置の光軸方向のアライメント状態の適否を判定する。なお、固視灯２６は、患者を装置に対して不動にするために患者が注視するための光源である。
【００２８】
図２の制御系は、ＣＰＵ１３１のシステムバスに図１で説明した各部材（上記と同一の参照符号を用いている）を接続することにより構成されている。圧平光用センサ２４の出力はセンサ制御回路１３３を介してＣＰＵ１３１に入力される。センサ制御回路１３３は、後述の制御において、ＣＰＵ１３１の制御に基づき、測定ゲインを変更するため圧平光用センサ２４の出力する検出信号の増幅率を変更する。
【００２９】
ＣＰＵ１３１には、測定動作状態や測定結果を表示するためのモニタ１３４が接続されるとともに、測定結果を出力するためのプリンタ１３５が接続されている。各光源１０、１１、１２の点灯／消灯（あるいは光量）はＣＰＵ１３１により制御される。
【００３０】
眼圧測定においては、圧平光用センサ２４の出力が最大（ピーク）となったタイミングにおいて、圧力センサ１３２から得られる空気圧検出値に基づきＣＰＵ１３１が眼圧値を算出する。
【００３１】
後述の測定制御手順はＣＰＵ１３１の制御プログラムとして、たとえばＲＯＭ１３６に格納しておく。
【００３２】
次に以上の構成における動作につき図３以降を参照して説明する。図３〜図５は、図１の眼圧測定装置における測定制御手順の流れを示している。
【００３３】
図３の測定制御手順は、単一の測定ゲインＶを用いた、概ね公知の基本的な眼圧測定制御手順と同等である。なお、本実施例において、測定ゲインとは、圧平光を検出する受光素子、すなわち圧平光用センサ２４が出力する検出信号のゲインとしきい値の相対関係を意味し、前述のように検出信号の増幅率を変更しても、しきい値を変更しても同等の結果を得られる。
【００３４】
ただし、以下では説明を簡単にするため、ＣＰＵ１３１の制御の下、センサ制御回路１３３が圧平光用センサ２４の出力する検出信号の増幅率を変更することにより測定ゲインが変更されるものとする。もちろん、以下に示す実施例をしきい値を変更することにより測定ゲインを変更する構成に変形するのは当業者にとって容易である。
【００３５】
図３のステップＳ３１では、測定モード１の設定が行なわれ、ここでは検者が不図示の操作パネルなどを介して入力した測定モードが選択される。また、ステップＳ３２において、この測定モード１で用いられる測定ゲインＶが選択される。たとえば、測定ゲインＶはＨ（高）、Ｌ（低）の２種類に設定できるものとする。
【００３６】
ここで、圧平光用センサ２４の光量、ノズル２２から放出される空気圧の条件が同一だったとして、Ｈ（高）の測定ゲインＶは、センサ制御回路１３３が圧平光用センサ２４の出力する検出信号の増幅率を高くした状態（図６参照）、Ｌ（低）の測定ゲインＶは、センサ制御回路１３３が圧平光用センサ２４の出力する検出信号の増幅率を低くした状態（図７参照）をいう（以下同様）。
【００３７】
公知の眼圧測定装置と同様、装置と被検眼のアライメントをとった後、ステップＳ３３において、ＣＰＵ１３１はノズル２２から空気を噴射させ、センサ制御回路１３３を介して圧平光用センサ２４の検出信号を監視することにより、被検眼の圧平を検出する。被検眼の圧平タイミングは、圧平光用センサ２４の検出信号が、たとえば図６のように圧平検出レベル（しきい値）Ｔを超えた時、そのピークタイミングを圧平タイミングとして検出することにより行なう。
【００３８】
ステップＳ３３で被検眼の圧平を検出できた場合は、ステップＳ３４でそのとき圧力センサ１３２から空気圧検出値を取得し、ステップＳ３５で得られた空気圧検出値に基づきＣＰＵ１３１が眼圧値を算出し、ステップＳ３６でモニタ１３４で表示（あるいはプリンタ１３５で印刷）する。
【００３９】
ステップＳ３３の圧平検出は、空気の噴射後から被検眼の圧平を検出できるまで一定時間（たとえば数十ミリ秒）続ける。すなわち、ステップＳ３３で圧平を検出できなければ、ステップＳ３７で不図示のタイマなどを用いて一定時間の経過を判別し、一定時間が経過していなければステップＳ３３にループする。この間、ノズル２２の空気圧は漸増するよう制御される。ステップＳ３３の圧平検出が失敗し続け、ステップＳ３７で一定時間が経過すると、眼圧測定失敗と判定（ステップＳ３８）し、ステップＳ３９でエラー情報をモニタ１３４で表示（あるいはプリンタ１３５で印刷）する。
【００４０】
以上の（従来とほぼ同様の）基本的な制御手順によると、検者が一の測定ゲイン（たとえばＨまたはＬ）を選択して測定を開始した場合、その測定ゲインで一定時間の測定が行なわれるが、この間、図７あるいは図８のように圧平光用センサ２４の出力が圧平検出レベルＴに達しない測定状況が続き、角膜の圧平を検出できなければ測定はエラー終了することになる。この場合、測定ゲインを上げて測定が行なえるのであれば、その設定を行ない、再度測定操作を行なわなければならない。
【００４１】
しかしながら、図３のような制御で測定が失敗したとしても、測定ゲインの設定自体は適正であったが、ステップＳ３７で検出される一定の測定時間の間、たまたま被検眼の瞬目が多かっただけ、というような原因も考えられる。このような場合には、必ずしも測定ゲインを増大させることが良い結果に繋がらない場合もある。たとえば、図８のようにピークが多い検出波形が得られる測定状況において、測定ゲインを増大させ図１０のように検出波形が圧平検出レベルＴを大きく超えるような状態となっても、誤まったピークタイミングを検出してしまう確率が高くなるかもしれない。
【００４２】
すなわち、図３のように単に一定時間の測定を１セット（回）だけ行なって、その成功／不成功を判定するだけでは不十分である可能性がある。
【００４３】
そこで、本実施例では、図４のような測定手順も眼圧測定装置に実装しておく。図４の手順は、測定ゲインＬ（低）を用いる測定モード１を所定回数の測定セットだけ試行し、それが失敗した場合に測定ゲインＨ（高）を用いる測定モード２に移行して同様に所定回数の測定セットを試行するようにしたものである。１セットの測定モードでは、ノズル２２の空気圧は毎回初期値から変化するようにリセットされる。
【００４４】
図４のステップＳ４１では、測定ゲインＬ（低）を用いる測定モード１が選択される。このモード選択は、検者の設定操作により行なわれるものではなく、図４の測定手順の初期化処理の１つとして行なわれるものである。また、ステップＳ４１では１つの測定モードを複数セット試行するためのカウンタＮを０に初期化する。
【００４５】
ステップＳ４２では、後述のように１つの測定モードが失敗するごとにカウントアップされるカウンタＮが示す試行回数が規定の回数ｎ（たとえばｎ＝１〜３程度とする）に達しているか否かを判定する。ここでカウンタＮがｎより小さい場合はステップＳ４３へ、ここでカウンタＮがｎ以上かつ２ｎより小さい場合はステップＳ４５へ、また、カウンタＮが２ｎより大きい場合はステップＳ５６に移行する。
【００４６】
すなわち、カウンタＮがｎより小さい間は、ステップＳ４３、Ｓ４４で測定ゲインＬ（低）を用いる測定モード１が選択され、カウンタＮがｎ以上となるとステップＳ４５、Ｓ４６で測定ゲインＨ（高）を用いる測定モード２が選択される。
【００４７】
ステップＳ４７では、ピストンの位置を初期化するなどして初期空気圧が規定の値になるよう制御してからノズル２２からの空気噴射を開始し、ノズル２２から空気を噴射させ、被検眼の圧平検出を開始する。ステップＳ４８ではセンサ制御回路１３３を介して圧平光用センサ２４の検出信号を監視することにより、被検眼の圧平を検出する。
【００４８】
図４のステップＳ４９〜Ｓ５１は、図３のステップＳ３４〜Ｓ３６と同様である。すなわち、ステップＳ４８で被検眼の圧平を検出できた場合は、ステップＳ４９でそのとき圧力センサ１３２から空気圧検出値を取得し、ステップＳ５０で得られた空気圧検出値に基づきＣＰＵ１３１が眼圧値を算出し、ステップＳ５１でモニタ１３４で表示（あるいはプリンタ１３５で印刷）する。
【００４９】
一方、ステップＳ４８で被検眼の圧平を検出できなかった場合は、ステップＳ５２に移行する。ステップＳ５２〜Ｓ５４は図３のステップＳ３７〜Ｓ３９と同様である。すなわち、ステップＳ４８で圧平を検出できなければ、ステップＳ５２で不図示のタイマなどを用いて一定時間の経過を判別し、一定時間が経過していなければステップＳ４８にループする。この間、ノズル２２の空気圧は漸増するよう制御される。ステップＳ４８の圧平検出が失敗し続け、ステップＳ５２で一定時間が経過すると、眼圧測定失敗と判定（ステップＳ５３）し、ステップＳ５４でエラー情報をモニタ１３４で表示（あるいはプリンタ１３５で印刷）する。
【００５０】
図４では、ステップＳ５４に続き、ここで処理は終了せずに、試行回数をカウントするカウンタＮを１カウントアップし、ステップＳ４２に戻る。
【００５１】
一方、ステップＳ４２で、カウンタＮが２ｎ以上となる、すなわち、測定ゲインＬ（低）を用いる測定モード１をｎ回試行し、これが失敗し、さらに測定ゲインＨ（高）を用いる測定モード２もｎ回とも失敗してしまった場合には、ステップＳ５６でエラー情報をモニタ１３４で表示（あるいはプリンタ１３５で印刷）して測定を終了する。
【００５２】
以上のように、図４の処理は、測定ゲインＬ（低）を用いる測定モード１が失敗しても、それがｎ回失敗しないうちは直ちに測定ゲインＨ（高）を用いる測定モード２には移行しない。また、測定ゲインＨ（高）を用いる測定モード２もｎ回失敗しないうちは直ちに測定処理を終了しないようになっている。
【００５３】
したがって、たとえば測定ゲインＬ（低）を用いる測定モード１、または測定ゲインＨ（高）を用いる測定モード２のある試行がたまたま被検眼の瞬目が多かったという理由で失敗した場合でも、次の試行で測定を成功させることができる可能性がある。たとえば、ある試行で図７のような測定状況であった場合でも次の試行で同じ噴射空気圧および測定ゲインの条件でも図９のような測定状況が形成できれば、噴射空気圧および測定ゲインを変更することなく眼圧測定を成功させることができる。
【００５４】
すなわち、図４のような制御により、偶然、ある測定モードが失敗しても直ちに測定ゲインが上がる次の測定モードに移行したり、測定処理をエラー終了する不都合を生じることなく、同じ噴射空気圧および測定ゲインの条件で次の試行で眼圧測定を成功させる可能性を高めることができる。
【００５５】
図４では、測定ゲインＬ（低）を用いる測定モード１と、測定ゲインＨ（高）を用いる測定モード２を用いて眼圧測定を行なう構成を示したが、制御をより一般化して図５のような処理により行なう構成も考えられる。図５の多くの部分は図４と類似しており、図５では図４と同一ないし類似の部分には同一のステップ番号を用いている。
【００５６】
図５の測定手順では、ある測定ゲインＶにおいてｎ回の測定セットを試行し、ｎ回の測定セット試行が失敗すると、差分ΔＶだけ測定ゲインを増加させて次のｎ回の測定セットを繰り返すことにより眼圧測定を行なう。この測定ゲインの増加は、たとえば圧平光用センサ２４の出力する検出信号の増幅率を増加させることにより行なうことができる。
【００５７】
図５において、ステップＳ４１では、１つの測定モードを複数セット試行するためのカウンタＮを０に初期化するとともに、測定ゲインＶをＶ０に初期化する。この初期値Ｖ０は、たとえば図４で説明した測定ゲインＬ（低）と同等の値でよい。
【００５８】
ステップＳ４２では、カウンタＮの値を予め定めたｎ（測定セット回数）の値で除算して得た剰余が０となったか否かを判定する（％は剰余演算を示す演算子である）。カウンタＮは後述のように測定セット１回が失敗するごとにカウントアップされるから、ステップＳ４２の判定により、ある測定セットを既にｎ回試行したかどうかを調べることができる。ステップＳ４２が肯定、すなわち、ある測定セットを既にｎ回試行した場合にはステップＳ４３に、ステップＳ４２が否定、すなわち、ある測定セットをまだｎ回試行していない場合にはステップＳ４４に移行する。
【００５９】
ある測定セットを既にｎ回試行した場合は、ステップＳ４３で測定ゲインＶが予め定めた最大値（上限値）Ｖｍａｘに達しているか否かを判定し、まだ測定ゲインＶが最大値（上限値）Ｖｍａｘに達していないことが確認できた場合はステップＳ４６において現在の測定ゲインＶに測定ゲイン差分ΔＶを加算して次の測定セットで用いる新たな測定ゲインＶを設定し、ステップＳ４７に移行する。
【００６０】
一方、ステップＳ４２が否定、すなわちある測定セットをまだｎ回試行していない場合には、ステップＳ４４において、次の測定セットで用いる新たな測定ゲインＶとして現在の測定ゲインＶを設定する（測定ゲインは変更しない）。
【００６１】
ステップＳ４７では、ピストンの位置を初期化するなどして初期空気圧が規定の値になるよう制御してからノズル２２からの空気噴射を開始し、その後、ステップＳ４８以降によりこの回の測定セットを実施する。ステップＳ４８〜Ｓ５６は図４と同様であるから、ここではその詳細な説明は省略する。
【００６２】
以上のように、図５の測定手順では、ある測定ゲインＶにおいてｎ回の測定セットを試行し、ｎ回の測定セット試行が失敗すると、差分ΔＶだけ測定ゲインを増加させて次のｎ回の測定セットを繰り返すことにより眼圧測定を行なうようにしている。
【００６３】
ここで、図５の測定手順において、たとえば、測定ゲイン差分ΔＶを上述の図４における測定ゲインＬ（低）と測定ゲインＨ（高）の差とすることも考えられる（この場合、測定ゲイン制御は図４のものと同等になる）が、測定ゲイン差分ΔＶを図４における測定ゲインＬ（低）と測定ゲインＨ（高）の差よりも小さい値とすることによって、よりきめ細かい眼圧測定条件のコントロールが可能となる。
【００６４】
これにより、ある測定セットの試行が失敗しても、次回の測定セットにおいて、より少ない測定ゲイン変更によって眼圧測定を成功させる可能性を高めることができる。たとえば、図８のように複数の信号ピークがあるような測定状況で測定セットの試行が失敗しても、次の測定セットでは大きく測定ゲインを変更しないため、図１０のように複数のピークが圧平検出レベルＴを超えるような測定状況ではなく、たとえば最も高いピークのみが圧平検出レベルＴを超えるような測定状況を形成し、より良好な眼圧測定を行なえる可能性を高めることができる。
【００６５】
なお、図３、図４および図５の眼圧測定制御手順は排他的なものではなく、矛盾を生じることなく１つの眼圧測定装置に実装することができるのはいうまでもない。特に、図３の眼圧測定制御手順は、測定ゲインＬ（低）を用いる測定モードまたは測定ゲインＨ（高）を用いる測定モードを１回づつ試行するような手順として実装しておくことができる。
【産業上の利用可能性】
【００６６】
本発明は、被検眼の角膜に空気を噴射して圧平させ、被検眼角膜の圧平を光学的に検出する眼圧測定装置において実施することができる。本発明を実施するための制御プログラムは、種々の記憶媒体（ＲＯＭ、ＣＤＲＯＭ、ＭＯなど）経由で眼圧測定装置に供給することができ、また、記憶媒体経由のみならず、ネットワーク経由などによっても眼圧測定装置に供給し、またアップデートすることができる。
【図面の簡単な説明】
【００６７】
【図１】本発明を採用した眼圧測定装置の構成を示した説明図である。
【図２】図１の眼圧測定装置の制御系の構成を示したブロック図である。
【図３】図１の眼圧測定装置における眼圧測定制御手順を示したフローチャート図である。
【図４】図１の眼圧測定装置における異なる眼圧測定制御手順を示したフローチャート図である。
【図５】図１の眼圧測定装置におけるさらに異なる眼圧測定制御手順を示したフローチャート図である。
【図６】図１の眼圧測定装置における測定状況を示した説明図である。
【図７】図１の眼圧測定装置における測定状況を示した説明図である。
【図８】図１の眼圧測定装置における測定状況を示した説明図である。
【図９】図１の眼圧測定装置における測定状況を示した説明図である。
【図１０】図１の眼圧測定装置における測定状況を示した説明図である。
【符号の説明】
【００６８】
１０、１１  照明用光源
１２  アライメント用光源
１３  レンズ
１４  ハーフミラー
１５  レンズ
１６、１７  ハーフミラー
１８  レンズ
１９  フィルタ
２０  ＣＣＤカメラ
２４  圧平光用センサ
３２  フィルタ
１３１  ＣＰＵ
１３２  圧力センサ
１３３  センサ制御回路
１３４  モニタ
１３５  プリンタ
１３６  ＲＯＭ
【図１】
0004834445.tif 000002
【図２】
0004834445.tif 000003
【図３】
0004834445.tif 000004
【図４】
0004834445.tif 000005
【図５】
0004834445.tif 000006
【図６】
0004834445.tif 000007
【図７】
0004834445.tif 000008
【図８】
0004834445.tif 000009
【図９】
0004834445.tif 000010
【図１０】
0004834445.tif 000011